(57)【要約】【課題】鋏と同様の操作で薄板を四角形状にワンタッチで切抜くことができる薄板切抜き鋏を提供するものである。【解決手段】先端側に刃部１１Ａ、１１Ｂを形成し、基端側に把持部１２Ａ、１２Ｂを形成した２本のアーム１３Ａ、１３Ｂを交差させて、交差部を軸１４で回動自在に連結し、一方の刃部１１Ａは平面形状が四角枠状に形成され、この開口部１５の内側に挿入される他方の刃部１１Ｂは、平面形状が長方形状で、側面形状が鉤形に湾曲して形成され、前記平面形状が四角枠状に形成された一方の刃部１１Ａの内側角部を受け刃１６とし、この内側で咬み合う他方の刃部１１Ｂを可動刃２１とし、可動刃２１と受け刃１６との間でプラスチック板５を四角形状に切抜くようにしたものである。【選択図】  図１
2006122308.tif 000002
【特許請求の範囲】
【請求項１】
先端側に刃部を形成し、基端側に把持部を形成した２本のアームを交差させて、交差部を軸で回動自在に連結し、一方の刃部は平面形状が四角枠状に形成され、この開口部の内側に挿入される他方の刃部は、平面形状が長方形状で、側面形状が鉤形に湾曲して形成され、前記平面形状が四角枠状に形成された一方の刃部の内側角部を受け刃とし、この内側で咬み合う他方の刃部の周縁を可動刃とし、この可動刃と受け刃との間で被切断薄板を四角形状に切抜くようにしたことを特徴とする薄板切抜き鋏。
【請求項２】
可動刃の刃先の正面形状が傾斜していることを特徴とする請求項１記載の薄板切抜き鋏。
【請求項３】
平面形状が四角枠状に形成された一方の刃部の側面に、先端から被切断薄板を挿入して、これを保持する保持溝が水平に形成されていることを特徴とする請求項１記載の薄板切抜き鋏。
【発明の詳細な説明】
【技術分野】
【０００１】
本発明は、薄いプラスチック板で形成された雨樋の蓋や、トタン板などの薄い金属板などの薄板を四角形状に切抜く鋏に関するものである。
【背景技術】
【０００２】
一般に、雨樋１を屋根２の軒先３に取付ける場合、図８に示すように軒先３に沿って所定の間隔で、先端側を半円形状に湾曲させた支持金具４を取付け、ここにプラスチック板５を半円形状に湾曲させた雨樋１を取付けている。更に最近は、落ち葉や積雪対策として、雨樋１の上にプラスチック板５で形成された蓋６を取付けることが行なわれている。この蓋６は側面に通水孔８を開孔し、雨樋１の上部に嵌合するように形成されているが、支持金具４との固定部分となる湾曲した係止部７が、蓋６の縁に当って浮いてしまい、確実に取付けることができない問題があった。
【０００３】
この場合、蓋６の係止部７に対応する部分に、予め切欠部分が形成されていれば良いが、現場の軒先形状に合わせて取付け工事を行うことから、予め切欠部分を形成することは難しい。このため現場では、支持金具４の係止部７に当たる蓋６の縁を、その都度カッターで凹型に削り取っているのが実情であり、作業性が悪い問題があった。
【０００４】
また雨樋１の蓋６に限らず、通常は硬質のプラスチック板やトタン板、薄いベニヤ板などを凹型に部分的に切欠する場合には、金切り鋏で角度を変えて数カ所切り込んで切り取っているのが一般的であり、作業性が悪かった。
【発明の開示】
【発明が解決しようとする課題】
【０００５】
本発明は上記問題を改善し、鋏と同様の操作で薄板を四角形状にワンタッチで切抜くことができる薄板切抜き鋏を提供するものである。
【課題を解決するための手段】
【０００６】
本発明の請求項１記載の薄板切抜き鋏は、先端側に刃部を形成し、基端側に把持部を形成した２本のアームを交差させて、交差部を軸で回動自在に連結し、一方の刃部は平面形状が四角枠状に形成され、この開口部の内側に挿入される他方の刃部は、平面形状が長方形状で、側面形状が鉤形に湾曲して形成され、前記平面形状が四角枠状に形成された一方の刃部の内側角部を受け刃とし、この内側で咬み合う他方の刃部の周縁を可動刃とし、この可動刃と受け刃との間で被切断薄板を四角形状に切抜くようにしたことを特徴とするものである。
【０００７】
本発明の請求項２記載の薄板切抜き鋏は、可動刃の刃先の正面形状が傾斜していることを特徴とするものである。更に本発明の請求項３記載の薄板切抜き鋏は、平面形状が四角枠状に形成された一方の刃部の側面に、先端から被切断薄板を挿入して、これを保持する保持溝が水平に形成されていることを特徴とするものである。
【発明の効果】
【０００８】
本発明に係る請求項１記載の薄板切抜き鋏によれば、一方の刃部は平面形状が四角枠状に形成され、この開口部の内側に挿入される他方の刃部は、平面形状が長方形状で、側面形状が鉤形に湾曲して形成され、前記平面形状が四角枠状に形成された一方の刃部の内側角部を受け刃とし、この内側で咬み合う他方の刃部の周縁を可動刃とし、アームを掴むことにより可動刃と受け刃との間で薄板をワンタッチで四角形状に切抜くことができる。
【０００９】
また請求項２記載の薄板切抜き鋏によれば、可動刃の刃先には傾斜面が形成されているので、可動刃が開口部に挿入されていく過程で、受け刃と斜めに咬み合っていき、被切断薄板は片側から順次切断され、小さな力で容易に切断することができる。
【００１０】
更に請求項３記載の薄板切抜き鋏によれば、平面形状が四角枠状に形成された一方の刃部の側面に、先端から被切断薄板を挿入して、これを保持する保持溝が水平に形成されているので、被切断薄板を確実に保持した状態で正確に切抜ことができる。
【発明を実施するための最良の形態】
【００１１】
以下本発明の実施の一形態を図１ないし図７を参照して詳細に説明する。図において１０は薄板切抜き鋏を示すもので、これは先端側に刃部１１Ａを形成し、基端側に把持部１２Ａを形成した一方のアーム１３Ａと、先端側に刃部１１Ｂを形成し、基端側に把持部１２Ｂを形成した他方のアーム１３Ｂとを中間で交差させて、交差部を軸１４で回動自在に連結したものである。
【００１２】
一方の刃部１１Ａは図２に示すように平面形状が四角枠状に形成され、この開口部１５の内側下部の角部には受け刃１６が形成されている。また四角枠状に形成された刃部１１Ａの底部には段部１８が形成され、この側面に保持溝１９が水平に形成されている。また刃部１１Ａの側面には、図１に示すように保持溝１９に沿ってスケール２０が形成されている。
【００１３】
また一方の刃部１１Ａの四角枠状に形成された開口部１５の内側の挿入される刃部１１Ｂは、図３に示すように平面形状が長方形状で、側面形状が図２に示すように鉤形に湾曲して形成され可動刃２１となっている。更に可動刃２１の刃先は図４に示すように傾斜面２２が形成されている。
【００１４】
上記構成の薄板切抜き鋏１０は、図５に示すように蓋６を左手に持って、支持金具４の係止部７と緩衝する部分の縁部のプラスチック板５を、刃部１１Ａの保持溝１９にスケール２０に合わせて所定の長さ挿入し、右手で把持部１２Ａ、１２Ｂを強く掴むことにより、図６に示すようにプラスチック板５を四角形状にワンタッチで切抜くことができる。
【００１５】
この場合、可動刃２１の刃先は図４に示すように傾斜面２２が形成されているので、可動刃２１が上昇していく過程で、受け刃１６と斜めに咬み合っていき、プラスチック板５は片側から順次切断され、小さな力で容易に切断することができる。
【００１６】
この結果、図７に示すように蓋６の、支持金具４の係止部７と緩衝する部分の縁部が、ワンタッチで切り抜かれて凹型の切欠部２３が形成される。このように、支持金具４の係止部７と緩衝する部分の蓋６の縁を順次、切抜いて凹型の切欠部２３を形成することにより、蓋６を雨樋１に確実に嵌合させることができる。
【００１７】
なお上記説明では、段部１８の側面に保持溝１９を水平に形成し、これに沿ってスケール２０を形成した場合について示したが、切抜く長さが一定の場合には、保持溝１９を設けずに、段部１８の側面をストッパーとし、ここにプラスチック板５の先端を当接させて切抜くようにしたものでも良い。なおこの場合にはスケール２０が不要である。
【産業上の利用可能性】
【００１８】
なお上記説明では、雨樋１の蓋６を切抜く場合について示したが、硬質のプラスチック板やトタン板、薄いベニヤ板など薄板であれば、四角形状に切抜くことができ、また連続して切抜くことにより任意の形状に切抜くことができる。
【図面の簡単な説明】
【００１９】
【図１】本発明の実施の一形態による薄板切抜き鋏の斜視図である。
【図２】図１に示す薄板切抜き鋏の中央部縦断面図である。
【図３】図１に示す薄板切抜き鋏の先端側を示す平面図である。
【図４】図１に示す薄板切抜き鋏の正面図である。
【図５】図１に示す薄板切抜き鋏で、蓋の縁部を切断する前の状態を示す中央部縦断面図である。
【図６】図５に示す薄板切抜き鋏で、蓋の縁部を切断した状態を示す中央部縦断面図である。
【図７】縁部に切欠部を形成した蓋を、雨樋に取付けた状態を示す斜視図である。
【図８】蓋の縁部が、支持金具の係止部に緩衝して浮き上がっている状態を示す断面図である。
【符号の説明】
【００２０】
１      雨樋                                                
２      屋根                                                
３      軒先                                                
４      支持金具                                            
５      プラスチック板                                      
６      蓋                                                  
７      係止部                                              
８      通水孔                                              
１０    薄板切抜き鋏                                        
１１Ａ、１１Ｂ  刃部                                        
１２Ａ、１２Ｂ  把持部                                      
１３Ａ、１３Ｂ  アーム                                      
１４    軸                                                  
１５    開口部                                              
１６    受け刃                                              
１８    段部                                                
１９    保持溝                                              
２０    スケール                                            
２１    可動刃                                              
２２    傾斜面                                              
２３    切欠部                                              
【図１】
2006122308.tif 000003
【図２】
2006122308.tif 000004
【図３】
2006122308.tif 000005
【図４】
2006122308.tif 000006
【図５】
2006122308.tif 000007
【図６】
2006122308.tif 000008
【図７】
2006122308.tif 000009
【図８】
2006122308.tif 000010